(57)【要約】【課題】  ＣＣＴＶ幹線荷電増幅ミキサーを提供する。【解決手段】主にミキサー、絶縁挟台、端子鎖錠、導線、回路板、金属導電ソケット、第一台CCD撮影端、第二CCD撮影端、第一コイル式鉄芯周波数混合器を含む。該端子鎖錠はそれぞれ該絶縁挟台両端に挟置し、該ミキサー両端にはそれぞれ進入ネジ孔と退出ネジ孔を設置し、両側の導線は該端子鎖錠中に穿入し螺固され、接触面を増加し、幹線の荷電流を増幅することができる。同時に回路板上で受信するRF信号を利用し、二個の信号減衰器を通して同一のdb値に調整し、外付け式アンプ或いは短絡片を通して信号を増幅し調整、出力する。【選択図】  図２
0003116246.tif 000002
【実用新案登録請求の範囲】
【請求項１】
主にミキサー、絶縁挟台、端子鎖錠、導線、回路板、金属導電ソケット、第一台ＣＣＤ撮影端、第二台ＣＣＤ撮影端、第一コイル式鉄芯周波数混合器を含み、
該ミキサーは底台、上蓋により構成し、
該絶縁挟台は該底台の凹槽側端に設置し、ネジにより螺固し、該絶縁挟台は上挟板及び下挟板が上下に嵌合し構成し、
該端子鎖錠の側辺には挿入接続孔を具え、該挿入接続孔においてネジを延伸し、
該導線は該ミキサー側辺の進入ネジ孔と退出ネジ孔より、該端子鎖錠の挿入接続孔中に穿入し、ネジにより螺固され、幹線の負荷電流を増加し、
該回路板は該底台と該上蓋間に設置し、該回路板上の二個の金属導電ソケットと下方の該端子鎖錠は電気的に接続し相互に嵌接し、
該金属導電ソケットは主交流入力端で、該主交流入力端からインダクターはサージ・アブソーバーに接続し、反対端の金属導電ソケットは主交流出力端で、該主交流出力端からインダクターまではもう一つのインダクターと電気的に接続し、該サージ・アブソーバー及び該交流出力端に接続し、該サージ・アブソーバーの反対端はアースに接続し、
該第一台ＣＣＤ撮影端は該インダクターから該交流出力端に接続し、カプリングコンデンサ及び信号減衰器の一端に電気的に接続し、該信号減衰器の反対端は該第一コイル式鉄芯周波数混合器の入力端に電気的に接続し、
該第二台ＣＣＤ撮影端は該インダクターから該交流出力端に接続し、該カプリングコンデンサ及び信号減衰器に電気的に接続し、該信号減衰器の反対端は該第一コイル式鉄芯周波数混合器の入力端に電気的に接続し、
該第一コイル式鉄芯周波数混合器は第二コイル式鉄芯周波数混合器に電気的に接続し、該第二コイル式鉄芯周波数混合器は外付け式アンプに出力し、コイル式鉄芯カプラーを経由し該カプリングコンデンサに電気的に接続し、該主交流出力端から出力することを特徴とするＣＣＴＶ幹線荷電増幅ミキサー。
【請求項２】
前記端子鎖錠はそれぞれ前記絶縁挟台両端の扇型槽に挟置し、さらに該扇型槽上下の貫通孔中に挟置し、左右に転動可能であることを特徴とする請求項１記載のＣＣＴＶ幹線荷電増幅ミキサー。
【請求項３】
前記ミキサー両側の進入ネジ孔と前端の退出ネジ孔の内孔は相互に通じることを特徴とする請求項１記載のＣＣＴＶ幹線荷電増幅ミキサー。
【請求項４】
前記第一台ＣＣＤ撮影端と前記第二台ＣＣＤ撮影端が受信するＲＦ信号はそれぞれ二個の信号減衰器を通して同一のdb値に調整し前記第一コイル式鉄芯周波数混合器と混合し、さらに前記第二コイル式鉄芯周波数混合器に電気的に接続し、前記外付け式アンプに出力し、信号を増幅し、前記交流出力端より出力することを特徴とする請求項１記載のＣＣＴＶ幹線荷電増幅ミキサー。
【請求項５】
前記アンプの入力端と出力端の間には前記外付け式アンプを設置せず、短絡片による接続が可能であることを特徴とする請求項１記載のＣＣＴＶ幹線荷電増幅ミキサー。
【請求項６】
前記信号減衰器は同一対応のdb値信号を調整し出力可能であることを特徴とする請求項１記載のＣＣＴＶ幹線荷電増幅ミキサー。
【請求項７】
前記コイル式鉄芯カプラーは前記カプリングコンデンサ、テスト点に電気的に接続し、ＲＦ信号値のテスト点とすることを特徴とする請求項１記載のＣＣＴＶ幹線荷電増幅ミキサー。
【考案の詳細な説明】
【技術分野】
【０００１】
本考案は一種のＣＣＴＶ幹線荷電増幅ミキサーに関する。特に一種の
ＣＣＴＶ幹線荷電増幅ミキサーに係る。
【背景技術】
【０００２】
公知のケーブルテレビＣＡＴＶは放送システムにより信号を伝送するもので、それが伝送するdb値は大きさが同じである。
しかし、現在のケーブルテレビＣＣＴＶ(クローズド・サーキットＴＶ)(特許文献１)は信号受信システムで、ミキサーを末端の各モニタに接続するため幹線が分接するケーブルの長さは同一ではない。よって、各ミキサー間のdb値に差異が生じ、直列分配の結果によりdb値の低下を招くため、db値を増加させその対応を同一としなければならず、さもなくば視聴品質を確保することはできない。
しかし、幹線は容易に環境の影響を受け信号の品質は減衰するため、信号値増幅器により信号を増幅し、幹線を連続し直列接続し荷電する状況においてロード電流を生じなければならない。公知の分接のロードが負荷を超過すると、挿入接続した面積の過小により大きな幹線のロード電流を受け止めることができず、ミキサー１内の挿入接続点１０は過熱により溶解、損壊してしまう(図１参照)。
こうして信号は干渉を受け、減衰し、ひどい場合には回線の切断や接触不良の状況さえ発生し得る。
【特許文献１】特開平２−４６０８２号公報
【考案の開示】
【考案が解決しようとする課題】
【０００３】
公知構造には以下の欠点があった。すなわち、公知のミキサーは挿入接続方式により接続するが、挿入接続の面積が過小であるため、大きな幹線の負荷電流を受け止めることができず、また分接の負荷がロードを超過すると、挿入接続点の接触が過熱し溶解損壊し易い。さらに、信号の伝送において干渉を受け易く、信号は減衰し易い。またミキサー間のdb値に差異が生じ易く、直列分配によりdb値の低下を招く。
本考案は、上記の問題点に鑑みてなされたもので、電流を十分受け止め、耐熱作用を具え、信号を増幅し出力を調整可能にし、信号減衰器は同一のdb値を調整しその対応を同一とすることができるＣＣＴＶ幹線荷電増幅ミキサーを提供するものである。
【課題を解決するための手段】
【０００４】
上記課題を解決するため、本考案は下記のＣＣＴＶ幹線荷電増幅ミキサーを提供する。
それは、主に端子鎖錠はそれぞれミキサーの絶縁挟台両端にに挟置し、該ミキサー両端にはそれぞれ進入ネジ孔及び退出ネジ孔を具え、ＲＦ／ＡＣ信号幹線の穿入端子鎖錠中に螺固し、幹線の荷電流を増加させる。
すなわち、それは主にミキサー、絶縁挟台、端子鎖錠、導線、回路板、金属導電ソケット、第一台ＣＣＤ撮影端、第二台ＣＣＤ撮影端、第一コイル式鉄芯周波数混合器を含み、該ミキサーは底台、上蓋により構成し、該上蓋下方には回路板を具え、該上蓋周囲はネジにより螺固し、該底台内の凹槽底部には該絶縁挟台を設置し、ネジにより螺固し、該絶縁挟台両端には対称形状の扇型槽を形成し、主に上挟板及び下挟板が上下に嵌合し構成し、該上挟板両端の貫通孔は該下挟板両端の貫通孔と相互に貫通し、これにより該端子鎖錠は両端の扇型槽中において上下に嵌置し挟固され、該端子鎖錠の側辺には挿入接続孔を具え、該挿入接続孔においてネジを延伸し、導線は該ミキサー側辺の進入ネジ孔と退出ネジ孔より、該端子鎖錠の挿入接続孔中に穿入し、ネジにより螺固され、幹線の負荷電流を増加し、該ミキサー両側の進入ネジ孔と退出ネジ孔は相互に貫通し、該第一台ＣＣＤ撮影端と該第二台ＣＣＤ撮影端が受信するＲＦ信号はそれぞれ二個の信号減衰器を通して同一のdb値に調整され該第一コイル式鉄芯周波数混合器に送られ、さらに該第二コイル式鉄芯周波数混合器に電気的に接続し、該外付け式アンプに出力され、信号を増幅し該交流出力端から出力することを特徴とするＣＣＴＶ幹線荷電増幅ミキサーである。
【０００５】
請求項１の考案は、主にミキサー、絶縁挟台、端子鎖錠、導線、回路板、金属導電ソケット、第一台ＣＣＤ撮影端、第二台ＣＣＤ撮影端、第一コイル式鉄芯周波数混合器を含み、該ミキサーは底台、上蓋により構成し、該絶縁挟台は該底台の凹槽側端に設置し、ネジにより螺固し、該絶縁挟台は上挟板及び下挟板が上下に嵌合し構成し、該端子鎖錠の側辺には挿入接続孔を具え、該挿入接続孔においてネジを延伸し、該導線は該ミキサー側辺の進入ネジ孔と退出ネジ孔より、該端子鎖錠の挿入接続孔中に穿入し、ネジにより螺固され、幹線の負荷電流を増加し、該回路板は該底台と該上蓋間に設置し、該回路板上の二個の金属導電ソケットと下方の該端子鎖錠は電気的に接続し相互に嵌接し、該金属導電ソケットは主交流入力端で、該主交流入力端からインダクターはサージ・アブソーバーに接続し、反対端の金属導電ソケットは主交流出力端で、該主交流出力端からインダクターまではもう一つのインダクターと電気的に接続し、該サージ・アブソーバー及び該交流出力端に接続し、該サージ・アブソーバーの反対端はアースに接続し、該第一台ＣＣＤ撮影端は該インダクターから該交流出力端に接続し、カプリングコンデンサ及び信号減衰器の一端に電気的に接続し、該信号減衰器の反対端は該第一コイル式鉄芯周波数混合器の入力端に電気的に接続し、該第二台ＣＣＤ撮影端は該インダクターから該交流出力端に接続し、該カプリングコンデンサ及び信号減衰器に電気的に接続し、該信号減衰器の反対端は該第一コイル式鉄芯周波数混合器の入力端に電気的に接続し、該第一コイル式鉄芯周波数混合器は第二コイル式鉄芯周波数混合器に電気的に接続し、該第二コイル式鉄芯周波数混合器は外付け式アンプに出力し、コイル式鉄芯カプラーを経由し該カプリングコンデンサに電気的に接続し、該主交流出力端から出力することを特徴とするＣＣＴＶ幹線荷電増幅ミキサーである。
【０００６】
請求項２の考案は、前記端子鎖錠はそれぞれ前記絶縁挟台両端の扇型槽に挟置し、さらに該扇型槽上下の貫通孔中に挟置し、左右に転動可能であることを特徴とする請求項１記載のＣＣＴＶ幹線荷電増幅ミキサーである。
請求項３の考案は、前記ミキサー両側の進入ネジ孔と前端の退出ネジ孔の内孔は相互に通じることを特徴とする請求項１記載のＣＣＴＶ幹線荷電増幅ミキサーである。
請求項４の考案は、前記第一台ＣＣＤ撮影端と前記第二台ＣＣＤ撮影端が受信するＲＦ信号はそれぞれ二個の信号減衰器を通して同一のdb値に調整し前記第一コイル式鉄芯周波数混合器と混合し、さらに前記第二コイル式鉄芯周波数混合器に電気的に接続し、前記外付け式アンプに出力し、信号を増幅し、前記交流出力端より出力することを特徴とする請求項１記載のＣＣＴＶ幹線荷電増幅ミキサーである。
請求項５の考案は、前記アンプの入力端と出力端の間には前記外付け式アンプを設置せず、短絡片による接続が可能であることを特徴とする請求項１記載のＣＣＴＶ幹線荷電増幅ミキサーである。
請求項６の考案は、前記信号減衰器は同一対応のdb値信号を調整し出力可能であることを特徴とする請求項１記載のＣＣＴＶ幹線荷電増幅ミキサーである。
請求項７の考案は、前記コイル式鉄芯カプラーは前記カプリングコンデンサ、テスト点に電気的に接続し、ＲＦ信号値のテスト点とすることを特徴とする請求項１記載のＣＣＴＶ幹線荷電増幅ミキサーである。
【考案の効果】
【０００７】
上記のように、本考案のＣＣＴＶ幹線荷電増幅ミキサーは、ネジによる螺接方式を採用し接続するため、面積が大きく大きな電流を十分受け止めることができ、接触点は金属ソケットであるため、耐熱作用を具える。また、接触面積が大きいため信号の伝送が安定し、外付け式アンプ或いは短絡片により信号を増幅し出力を調整可能である。さらに、信号減衰器は同一のdb値を調整しその対応を同一とすることができ、安全性と実用性を具える。
【考案を実施するための最良の形態】
【０００８】
本考案のＣＣＴＶ幹線荷電増幅ミキサーの好適な実施例を図に沿って説明する。
図２〜７に示すように、本考案の実施例のミキサー２は底台２０、上蓋２１により構成する。該上蓋２１下方には回路板２２を設置し、該上蓋２１周囲はネジ２３、２４、２５、２６により螺固する。該底台２０内の凹槽２００底部には絶縁挟台３を設置し、ネジ３２、３３により螺固する。 
該絶縁挟台３の両端には、対称形状の扇型槽３４、３５を形成し、上挟板３０及び下挟板３１が上下に嵌合し構成する。該上挟板３０の両端の貫通孔３００、３０１と該下挟板両端の貫通孔３１０、３１１は相互に貫通し、これにより端子鎖錠４、５は上下に嵌置し、該両端の扇型槽３４、３５中において挟固される。すなわち、端子鎖錠４，５は、それぞれミキサー１の絶縁挟台３の両端に挟置し、該ミキサー１の両端にはそれぞれ進入ネジ孔２０１及び退出ネジ孔２０２を具え、ＲＦ／ＡＣ信号幹線の穿入する端子鎖錠４，５中に螺固し、幹線の荷電流を導通させる。
該端子鎖錠４、５の側辺には挿入接続孔４０、５０を具え、該挿入接続孔４０、５０においてネジ４１、５１を延伸する。導線６、７が該底台２０両側の進入ネジ孔２０１及び退出ネジ孔２０２によりそれぞれ該挿入接続孔４０、５０に入る時、別に該底台２０前端の進入ネジ孔２０３及び退出ネジ孔２０４により入り、該端子鎖錠４、５側辺のネジ４１、５１を回し、該導線６、７を螺固する。また該ミキサー側辺の進入ネジ孔２０１と該前端の進入ネジ孔２０３内孔は相互に貫通し、反対側の退出ネジ孔２０２と前端の退出ネジ孔２０４内孔は相互に貫通する。該ミキサー前端の進入ネジ孔２０３及び退出ネジ孔２０４はネジ２０３０、２０４０により螺固、封鎖される。
【０００９】
次に、図８に示すように、該上蓋２１下方には回路板２２を具え、該回路板２２上にはそれぞれ１個の金属導電ソケット２２０、２２１を具え、下方の該端子鎖錠４、５と電気的に接続し相互に嵌接する。一端の該金属導電ソケット２２０は主交流入力端２２００で、該主交流入力端２２００よりインダクター２２０１まで、サージ・アブソーバ２２０２を接続する。反対端の該金属導電ソケット２２１は主交流出力端２２０００で、該主交流出力端２２０００よりインダクター２２０３まで、別のインダクター２２０１と電気的に接続し、該サージ・アブソーバ２２０２及び該交流出力端２２０２０を接続する。
該サージ・アブソーバ２２０２の反対端はアースに接続し、主にＲＦ信号の主交流入力端２２００への進入を阻害する。こうして交流電圧は自由に出入りし、同時に該サージ・アブソーバ２２０２を利用し回路を保護し、信号がサージの干渉を受けることを防ぐ。該主交流入力端２２００はカプリングコンデンサ２２０４を経由し第二コイル式鉄芯周波数混合器２２０５一端まで通じ、第一台ＣＣＤ撮影端２２０６はコンデンサ２２０７まで接続し、カプリングコンデンサ２２０８及び信号減衰器２２０９一端に電気的に接続する。こうして、ＲＦ信号の入力時のdb値(0〜20db)を調整する。
【００１０】
該信号減衰器２２０９の反対端は該第一コイル式鉄芯周波数混合器２２１０の入力端に電気的に接続し、もう一方の第二台ＣＣＤ撮影端２２１１はコンデンサ２２１２から交流出力端２２１２０に接続する。また、カプリングコンデンサ２２１３及び信号減衰器２２１４に電気的に接続し、こうしてＲＦ信号の入力時のdb値(0〜20db)を調整する。
該信号減衰器２２１４の反対端は該第一コイル式鉄芯周波数混合器２２１０に電気的に接続する。主に該第一台CCD撮影端２２０６と該第二台ＣＣＤ撮影端２２１１が受信するRF信号はそれぞれ二個の信号減衰器２２０９、２２１４を通して、該第一コイル式鉄芯周波数混合器２２１０に同一のdb値に調整し、混合する。
さらに、該第一コイル式鉄芯周波数混合器２２１０により該第二コイル式鉄芯周波数混合器２２０５に電気的に接続し、該第二コイル式鉄芯周波数混合器２２０５により外付け式のアンプ２２１５の入力端２２１５０に出力する。別に外付け式のアンプ２２１５の出力端２２１５はコイル式鉄芯カプラー２２１６に電気的に接続する。
該外付け式のアンプ２２１５の入力端２２１５０と出力端２２１５１間は短絡片２２１５２により接続し、該外付け式のアンプ２２１５を不用とする。該コイル式鉄芯カプラー２２１６よりカプリングコンデンサ２２１７までと該サージ・アブソーバ２２０２及び該インダクター２２０３は電気的に接続し、該コイル式鉄芯カプラー２２１６によりカプリングコンデンサ２２１８、テスト点２２１９に電気的に接続し、ＲＦ信号値のテスト点とする。
【００１１】
以上のように、本考案の実施例によれば、ネジによる螺接方式を採用し接続するため、面積が大きく大きな電流を十分受け止めることができ、接触点は金属ソケットであるため、耐熱作用を具える。また、接触面積が大きいため信号の伝送が安定し、外付け式アンプ或いは短絡片により信号を増幅し出力を調整可能であり、さらに、信号減衰器は同一のdb値を調整しその対応を同一とすることができる。
なお、本考案の特徴を損なうものでなければ、上記の実施例に限定されるものでないことは勿論である。
【図面の簡単な説明】
【００１２】
【図１】従来公知のミキサーの挿入接続、溶解損壊構造の断面指示図である。
【図２】本考案の実施例の立体分解図である。
【図３】本考案の実施例の局部パーツの組合せ作動図一である。
【図４】本考案の実施例の局部パーツの組合せ作動図二である。
【図５】本考案の実施例のの組合せ完成立体図である。
【図６】本考案の実施例のの鎖錠接続動作の断面実施例立体図である。
【図７】本考案の実施例の立体図である。
【図８】本考案の実施例の調節式ＣＣＴＶ幹線荷電増幅ミキサーの回路図である。
【符号の説明】
【００１３】
１  ミキサー
１０  挿入接続点
２  ミキサー
２０  底台
２００  凹槽
２０１  進入ネジ孔
２０２  退出ネジ孔
２０３  進入ネジ孔
２０４  退出ネジ孔
２１  上蓋
２２  回路板
２２０,２２１  金属導電ソケット
２２００  主交流入力端
２２０１  インダクター
２２０２  サージ・アブソーバ
２２０２０  交流出力端
２２０３  インダクター
２２０４  カプリングコンデンサ
２２０５  第二コイル式鉄芯周波数混合器
２２０６  第一台CCD撮影端
２２０７  コンデンサ
２２０００  主交流出力端  
２２０７０  交流出力端
２２０８  カプリングコンデンサ
２２０９  信号減衰器
２２１０  第一コイル式鉄芯周波数混合器
２２１１  第二台CCD撮影端
２２１２  コンデンサ
２２１２０  交流出力端
２２１３  カプリングコンデンサ
２２１４  信号減衰器
２２１５  アンプ
２２１５０  入力端
２２１５１  出力端
２２１６  コイル式鉄芯カプラー
２２１５２  短絡片
２２１６  コイル式鉄芯カプラー
２２１７  カプリングコンデンサ
２２１８  カプリングコンデンサ
２２１９  テスト点
２３  ネジ
２４  ネジ
２５  ネジ
２６  ネジ
３  絶縁挟台
３０  上挟板
３００  貫通孔
３０１  貫通孔
３１  下挟板
３１０  貫通孔
３１１  貫通孔
３２  ネジ
３３  ネジ
３４  扇型槽
３５  扇型槽
４  端子鎖錠
５  端子鎖錠
４０  挿入接続孔
５０  挿入接続孔
４１  ネジ
５１  ネジ
６  導線
７  導線
【図１】
0003116246.tif 000003
【図２】
0003116246.tif 000004
【図３】
0003116246.tif 000005
【図４】
0003116246.tif 000006
【図５】
0003116246.tif 000007
【図６】
0003116246.tif 000008
【図７】
0003116246.tif 000009
【図８】
0003116246.tif 000010